(57)【要約】      （修正有）【課題】磁気マッサージの効果により、こり易い筋肉のみならず身体全体の疲れをとり、こりをほぐすことができる下着を提供する【解決手段】伸縮性を有する布地素材を用いて接ぎ合わされ、肩部、背中部、腰部のいずれかに位置する、筋肉、リンパ節周辺部、鍼灸治療におけるツボに当接するように磁石が配せられ、肩部、背中部、腰部のいずれかに位置する、筋肉、リンパ節周辺部、鍼灸治療におけるツボに、磁力線による刺激が与えられるようにした健康補正下着であり、筋肉に当接する磁石は、複数の小径薄型の磁石が筋肉部位に直線状に配置され、リンパ節周辺部に当接する磁石は、リンパ節周辺部を覆うように複数の小径薄型の磁石が分散して配置され、鍼灸治療におけるツボに当接する磁石４ａ〜４ｊは、鍼灸治療におけるツボに対応する位置に１個の小径薄型の磁石が配置されていることを特徴とする。【選択図】図１
2017145519.tif 000002
【特許請求の範囲】
【請求項１】
伸縮性を有する布地素材を用いて接ぎ合わされ、
肩部、背中部、腰部のいずれかに位置する、筋肉、リンパ節周辺部、鍼灸治療におけるツボに当接するように磁石が配せられ、
前記肩部、背中部、腰部のいずれかに位置する、筋肉、リンパ節周辺部、鍼灸治療におけるツボに、磁力線による刺激が与えられるようにした健康補正下着であり、
前記筋肉に当接する磁石は、複数の小径薄型の磁石が筋肉部位に直線状に配置され、
前記リンパ節周辺部に当接する磁石は、前記リンパ節周辺部を覆うように複数の小径薄型の磁石が分散して配置され、
前記鍼灸治療におけるツボに当接する磁石は、前記鍼灸治療におけるツボに対応する位置に１個の小径薄型の磁石が配置されていることを特徴とする下着。
【請求項２】
前記磁石が当接する筋肉に対応する部位は、僧帽筋、肩甲挙筋、脊柱起立筋、広背筋、大腰筋の群から選ばれる少なくとも１個所以上の部位であることを特徴とする請求項１に記載の下着。
【請求項３】
前記磁石が当接するリンパ節周辺部に対応する部位は、鎖骨リンパ節周辺部、腹部リンパ節周辺部、腋窩リンパ節周辺部、鼠径リンパ節周辺部の群から選ばれる少なくとも１個所以上の部位であることを特徴とする請求項１に記載の下着。
【請求項４】
前記磁石が当接する鍼灸治療におけるツボに対応する部位は、肩井（けんせい）、肩外兪（けんがいゆ）、肝兪（かんゆ）、脾兪（ひゆ）、腎兪（じんゆ）、大腸兪（だいちょうゆ）、小腸兪（しょうちょうゆ）、胞肓（ほうこう）の群から選ばれる少なくとも１個所以上の部位であることを特徴とする請求項１に記載の下着。
【請求項５】
前記筋肉、リンパ節周辺部、鍼灸治療におけるツボに当接するように配せられる磁石は、種類がフェライト磁石、サマリウムコバルト磁石、ネオジム磁石の群から選ばれる少なくとも１種の磁石であり、磁力が８０〜２００ミリテスラであり、直径が３〜１０ミリメートルであり、厚みが０．４〜１．８ミリメートルであることを特徴とする請求項１に記載の下着。
【請求項６】
前記下着は、肩から腰までを覆うボディスーツタイプ、ブラトップタイプ、ブラトップとショーツのセットタイプの補正下着であることを特徴とする請求項１乃至５のいずれか１項に記載の下着。
【発明の詳細な説明】
【技術分野】
【０００１】
本発明は、健康維持のための下着に係り、より詳細には、肩部、背中部、腰部の筋肉、リンパ節周辺部、鍼灸治療におけるツボのいずれか、に当接するように磁石が配せられ、磁気マッサージ効果により身体全体の疲れやこりをほぐすことができる下着に関する。
【背景技術】
【０００２】
近年、肩こりや腰痛対策、筋肉疲労の回復などを目的に、磁気マッサージのための磁石付き衣類や磁気ネックレス、磁気パッドなどの種々の磁気健康用品が開発されている。
肩こりなどの「こり」とは、筋肉への血液供給が途絶えて乳酸などの疲労物質が溜まり、筋肉が堅くなってしまう現象をいう。人体への磁気マッサージの作用は、この「こり」の部分に磁力線による刺激を与えて、血行を促進し、「こり」をやわらげるものである。
【０００３】
このような磁気マッサージのための磁石を取り付けた下着としては、例えば、特許文献１に、ツボに対応した位置にマグネットが付いたブラジャーが開示され、特許文献２には、磁石等の機能性粉末を含有したプリント剤がツボに対応した位置にプリントされた下着等の機能性衣類が開示されている。
特許文献１、２に開示されるような磁石付きの下着は、肩こりや筋肉疲労などの「こり」をほぐす一定の効果は有している。しかしながら、ストレス過多の現代社会においては、肩や局所的な筋肉の「こり」にとどまらず、体全体の「こり」、すなわち自律神経の失調が起こり易くなっており、体全体に磁気マッサージ効果をいきわたらせることがどうしても必要となっている。
前述の特許文献１、２に開示された下着では、局所的な磁気マッサージ効果しか得られないため、体全体に磁気マッサージ効果をいきわたらせるには不十分なものであった。
【０００４】
このような、体全体の「こり」をほぐすために、特許文献３には、ツボの経脈に沿って遠赤外線構造体及びマイナスイオン構造体を配した下着が開示されている。しかしながら、遠赤外線放射やマイナスイオン放射では、磁気マッサージによる体液循環をスムーズに行わせる優れた効果は得られていない。
【先行技術文献】
【特許文献】
【０００５】
【特許文献１】実用新案登録第３０２５６０２号
【特許文献２】実用新案登録第３１１６６９２号
【特許文献３】実用新案登録第３１３６６２７号
【発明の開示】
【発明が解決しようとする課題】
【０００６】
人体において、成人の体重の約５０％が体液であるが、体全体の「こり」をほぐすには、筋肉の「こり」をほぐすのみならず、体全体にいきわたっている血液、リンパ液、細胞間液、体腔液などの体液の循環を良くすることが必要である。
体液の循環を良くするには、体液の流路が集中した場所に適度な刺激を与えるのが効果的であり、体液の流路が集中する場所とは、リンパ節周辺部であり、鍼灸治療のツボである。
【０００７】
そして、磁気マッサージの効果とは、体液中の電解質の流れが磁場を横切るときに発生する起電力が、電解質を解離させて体液の流れを良くすることにより、ストレスなどによる肩こりなどを解消させるとされている。
また、磁石から発生する定常磁場は、人体が動き回ることによって変動磁場としても機能し、変動磁場が体温を上昇させて血液の循環を促進させる効果を有するともいわれている。
このような磁気マッサージの効果を体液の流路が集中する場所に施すことにより、体液の循環を良くすることができ、体全体の「こり」をほぐすことができる。
【０００８】
本発明は、上記従来技術の問題点に鑑みてなされたものであって、本発明の目的は、磁気マッサージの効果によりこり易い筋肉のみならず身体全体の疲れをとり、こりをほぐすことができる下着を提供することにある。
【課題を解決するための手段】
【０００９】
上記目的を達成するためになされた本発明の一態様による下着は、伸縮性を有する布地素材を用いて接ぎ合わされ、肩部、背中部、腰部のいずれかに位置する、筋肉、リンパ節周辺部、鍼灸治療におけるツボに当接するように磁石が配せられ、前記肩部、背中部、腰部のいずれかに位置する、筋肉、リンパ節周辺部、鍼灸治療におけるツボに、磁力線による刺激が与えられるようにした健康補正下着であり、前記筋肉に当接する磁石は、複数の小径薄型の磁石が筋肉部位に直線状に配置され、前記リンパ節周辺部に当接する磁石は、前記リンパ節周辺部を覆うように複数の小径薄型の磁石が分散して配置され、前記鍼灸治療におけるツボに当接する磁石は、前記鍼灸治療におけるツボに対応する位置に１個の小径薄型の磁石が配置されていることを特徴とする。
【００１０】
前記磁石が当接する筋肉に対応する部位は、僧帽筋、肩甲挙筋、脊柱起立筋、広背筋、大腰筋の群から選ばれる少なくとも１個所以上の部位であることが好ましい。
【００１１】
前記磁石が当接するリンパ節周辺部に対応する部位は、鎖骨リンパ節周辺部、腹部リンパ節周辺部、腋窩リンパ節周辺部、鼠径リンパ節周辺部の群から選ばれる少なくとも１個所以上の部位であることが好ましい。
【００１２】
前記磁石が当接する鍼灸治療におけるツボに対応する部位は、肩井（けんせい）、肩外兪（けんがいゆ）、肝兪（かんゆ）、脾兪（ひゆ）、腎兪（じんゆ）、大腸兪（だいちょうゆ）、小腸兪（しょうちょうゆ）、胞肓（ほうこう）の群から選ばれる少なくとも１個所以上の部位であることが好ましい。
【００１３】
前記筋肉、リンパ節周辺部、鍼灸治療におけるツボに当接するように配せられる磁石は、種類がフェライト磁石、サマリウムコバルト磁石、ネオジム磁石の群から選ばれる少なくとも１種の磁石であり、磁力が８０〜２００ミリテスラであり、直径が３〜１０ミリメートルであり、厚みが０．４〜１．８ミリメートルであることが好ましい。
【００１４】
前記下着は、肩から腰までを覆うボディスーツタイプ、ブラトップタイプ、ブラトップとショーツのセットタイプの補正下着であることが好ましい。
【発明の効果】
【００１５】
本発明の下着によれば、磁気マッサージを体液の流路が集中する場所に施すことにより、体液の循環を良くすることができ、体全体の「こり」をほぐすことができる。特に、肩から腰にかけての背中に、Ｘ字状に磁気の刺激を与えることにより、肩から背中、腰にかけての筋肉、リンパ節周辺部、鍼灸治療におけるツボに効果的に磁石が配せられているので、筋肉のコリをほぐすことのみならず、体全体の血流、リンパ、体液の循環を促進し、体全体の疲れやこりをほぐすことができる。
また、本発明の下着によれば、体全体の血流、リンパ、体液の循環を促進させるように磁石が配置された磁石の磁力マッサージにより、着用しているだけで、疲れにくい健康な体にすることができる。
【図面の簡単な説明】
【００１６】
【図１】本発明の一実施形態に係るボディスーツタイプの下着である。
【図２】本発明の一実施形態に係るブラトップタイプの下着である。
【図３】本発明の一実施形態に係るブラトップとショーツのセットタイプの下着である。
【発明を実施するための形態】
【００１７】
本発明の実施の形態を以下に説明するが、本発明はこれに限定されるものではない。
本実施形態に係る下着は、下着の内面側に、肩部、背中部、腰部のいずれかに位置する、筋肉、リンパ節周辺部、鍼灸治療におけるツボに当接するように配せられた磁石が抑え布地を介して裏面に固定され、下着素材が伸縮性を有する布地素材を用いて接ぎ合わされているので、筋肉、リンパ節周辺部、鍼灸治療におけるツボに当接するように配せられた磁石が身体表面に密着し、前記肩部、背中部、腰部のいずれかに位置する、筋肉、リンパ節周辺部、鍼灸治療におけるツボに、磁力線による刺激が与えられて、身体中のリンパ、血流の流れを良くして、身体全体の「こり」をほぐすようにした下着である。
【００１８】
人体における背中は、人の健康状態を写す鏡のようなものであって、感情の大きな変化やストレスを受けた時の身体の変調が如実に表れる場所であるといわれる。
背中には、人体骨格の中心となる背骨を真ん中にして、肩、首、腰の骨があり、それらの骨を支える筋肉があるため、背中のこりは背中の筋肉のこりと考えがちではあるが、それだけではなく、背中には、からだの状態が現れる体表の反応点であり、鍼灸治療における治療点であるツボが多く存在し、ストレスや身体の不調が背中のツボに表れ、痛みやこりを発症する。
【００１９】
また、身体の「こり」は、体中を巡る体液、特にリンパの流れが滞ることにもより発症する。人間の体内にはリンパ系が張り巡らされており、リンパ系を構成するリンパ管は、全身からリンパ液を回収して静脈へ戻す体内組織であり、そこを流れるリンパ液は体内の老廃物を外に排出する役割を果たしている。
リンパ系には、体内をめぐるリンパ管の途中に位置し、老廃物のろ過、免疫抗体を生み出すリンパ球の増生が行われるリンパ節があり、リンパの流れが悪くなると、疲労感や肩こり、むくみといった症状があらわれるが、このリンパ節周辺部に適度な刺激を与えることにより、リンパの流れが正常化するので、疲労回復、健康増進を図ることができる。
【００２０】
本実施形態に係る下着は、このような背中の筋肉、リンパ節周辺部、鍼灸治療のツボに対応した個所に、磁力線による刺激が与えられるようにした下着であるが、磁石による刺激の与え方は、筋肉、リンパ節周辺部、鍼灸治療のツボのそれぞれで適した方法がある。
筋肉に当接するように配置される磁石は、対応する筋肉部位に複数の小径薄型の磁石を直線状に配置し、リンパ節周辺部に当接するように配置される磁石は、リンパ節周辺部を覆うように複数の小径薄型の磁石をリンパ節周辺部に分散させて配置し、鍼灸治療におけるツボに当接するように配置される磁石は、鍼灸治療におけるツボに対応する位置に、１個の小径薄型の磁石を配置することが効果的である。
【００２１】
人体の肩部、背中部、腰部の筋肉、リンパ節周辺部、鍼灸治療のツボに対応した個所への磁石の配置方法について説明する。
まず、人体の「こり」に関わる筋肉は、肩部に、肩甲骨を引き上げるための肩甲挙筋（けんこうきょきん）、背中の一番表層にあり肩甲骨を動かすための僧帽筋（そうぼうきん）があり、背中部に、背骨から腰骨の方にまで、人間の背中の中心部あたりを縦に細長く走る脊柱起立筋（せきちゅうきりつきん）、上腕を内旋、内転、伸展する筋肉で、ここの緊張が五十肩に関係する広背筋（こうはいきん）があり、腰部には、股関節、脊柱の屈曲のための大腰筋（だいようきん）がある。
【００２２】
前述の筋肉は、自分の意志で自由に動かせる随意筋である骨格筋であり、このような筋肉の組織は、筋細胞（筋線維）が主体となり、多数の神経や血管が侵入し、結合組織が介在している。
本発明の下着における筋肉に対応する個所への磁石の配置は、この筋線維に侵入した多数の神経や血管に磁力マッサージを施すために、直線状に配置するのが効果的である。このような配置で磁力線の刺激を与えることにより、筋肉での血流を向上させるのに効果的となる。
磁石を配置する筋肉に対応する個所としては、肩部においては、僧帽筋及び肩甲挙筋を含むことが好ましく、背中及び腰部においては、脊柱起立筋群、広背筋及び大腰筋を含むことが好ましい。
【００２３】
人体にはリンパ管の集中した数多くのリンパ節があり、この周辺部（リンパ節周辺部）は、リンパ節に向かい網状に分布するリンパ管が集中する部位であるが、それらの中で特に重要なのは、人体を背面から見たときの、肩部にあるリンパが静脈に流れ込むリンパの出口部分に当たる鎖骨リンパ節周辺部、背中部にある腹部リンパ節周辺部及び上肢のリンパの流れの集中する腋窩リンパ節周辺部、腰部にある下肢のリンパの流れの集中する鼠径リンパ節周辺部である。
リンパの流れが悪くなると、疲労感や肩こり、むくみといった症状があらわれるが、このリンパ節周辺部に適度な刺激を与えることにより、リンパの流れが正常化するので、疲労回復、健康増進を図ることができる。
リンパ節周辺部の磁石の配置は、リンパ節及びその周辺部の一帯を覆うように複数の小径薄型の磁石をリンパ節周辺部の対応個所に複数個分散させて配置することが、そこに集中するリンパ管に万遍なく磁力マッサージを施すことができるので好ましい。
磁石が当接するリンパ節周辺部としては、肩部においては、鎖骨リンパ節周辺部を含むことが好ましく、背中部においては、腹部リンパ節周辺部及び腋窩リンパ節周辺部を含むことが好ましく、腰部においては、鼠径リンパ節周辺部を含むことが好ましく、鎖骨リンパ節周辺部は、リンパが静脈に流れ込むリンパの出口部分に当たり、リンパの流れを整える効果が発揮され易い部位に当たるので、特に好ましい。
【００２４】
人体の背中側には数多くの鍼灸治療におけるツボがあるが、これらのツボの多くは、人体や臓器にストレスがかかることによって反応する部位であり、これらの部位に効果的に磁力線の刺激を与えることにより、張りやこりが解消される。
人体の背中側の鍼灸治療におけるツボにおいて、体のこりに効果的なツボは、肩部においては肩井（けんせい）、肩外兪（けんがいゆ）、天宗（てんそう）が挙げられ、精神的ストレスや内臓の弱り、特に、消化器系や婦人科系のホルモンバランスの崩れなどで、この肩のツボに反応としてこりや張りが現れる。
背中部においては、五臓（肺、心、肝、脾、腎）の働きと関係するする肝兪（かんゆ）、脾兪（ひゆ）、腎兪（じんゆ）が挙げられる。
また、腰部においては、大腸兪（だいちょうゆ）、小腸兪（しょうちょうゆ）、胞肓（ほうこう）が挙げられ、当該ツボへの刺激は、疲労や老化による腰の疲れからくるこりや腰痛に効果的である。
【００２５】
鍼灸治療におけるツボへの刺激は、ピンポイント刺激が効果的であり、ツボの位置に対応するように１個の小径薄型の磁石が独立して配置されていることが好ましい。鍼灸治療におけるツボの位置は、体格等の違いによる個人差が大きいが、体にフィットする適格サイズの補正下着を選定することにより、体格差による位置のずれは克服できる。
【００２６】
筋肉部、リンパ節周辺部、鍼灸治療におけるツボに当接する磁石は、種類としては、例えば、フェライト磁石、サマリウムコバルト磁石、ネオジム磁石などが挙げられ、その磁力は８０〜２００ミリテスラであることが適度な磁力マッサージを与えることで好ましく、磁石の直径は３〜１０ミリメートル、厚みは０．４〜１．８ミリメートルであることが、肌触りや下着の着心地の点で好ましい。
【００２７】
本発明の一実施形態に係る下着は、生地の緊締力が強い伸縮性の高いパワー生地を用いることが磁石を身体に密着させて、健康増進効果を高めるので好ましく、緊締力が異なる複数のパワー生地を組み合わせた補正下着であれば、健康増進に加えて体型補正ができるので更に好ましい。
用いる伸縮性の高いパワー生地に特に制限はなく、ナイロンベースのトリコット、パワーネット、ベア天竺、ストレッチレース等各種パワー生地を用いることができる。
【００２８】
本実施形態の下着に磁石を取り付ける方法は、下着の裏側に布を当てて取り付けることが好ましく、当て布を介して磁石が肌に接するので金属による肌のかぶれなどが起こりにくい。また、本発明の下着では、磁石を直接肌に絆創膏等を用いて固定する方法と異なり、長期間使用しても絆創膏の接着剤によるかぶれが起こることがない。
本実施形態の下着の裏面に当て布を用いて磁石を固定する方法は、縫いつけによる方法であっても、接着剤による固定であってもよい。
【００２９】
本実施形態の下着の形態は、効果的な部位に磁石が取り付けられるものであればいずれの種類でもよく、例えば、ブラジャータイプ、ブラトップタイプ、ショートガードルタイプ、ボクサータイプ、ボディスーツタイプ等が挙げられ、ボディスーツタイプ、ブラトップタイプ、ブラトップとショーツのセットタイプであることが、肩部、背中部、腰部のいずれかに位置する、筋肉、リンパ節、鍼灸治療におけるツボに、効果的に磁力線による刺激が与えることができるので、好ましい。
【００３０】
以下、本発明の好ましい実施形態を実施例により詳細に説明する。
〔実施例１〕
図１は、本発明の一実施形態に係るボディスーツタイプの下着１である。
本実施例のボディスーツタイプの下着１は、伸縮性を有するパワー生地で作製された補正下着であり、図１は、本実施例１のボディスーツタイプの下着１の正面及び背面から見た図である。
図１において、ボディスーツタイプの下着１のドット模様で示した部分は、伸縮性を有するパワー生地に樹脂加工を施した部分である。また、磁石４は下着１の裏側に添え布を当てて接着剤で固定したが、図１には位置を明確にするために実線で丸印を記した。
下着１に装着した磁石４は、ネオジム磁石の磁力が１２０ミリステラ、直径が５ｍｍ、厚みが０．８ｍｍのものを用いた。
ボディスーツタイプの下着１に配した磁石４は、略Ｘ字状に配置され、肩部は、鎖骨リンパ節周辺部、鍼灸治療における肩井、肩外兪のツボに配置し（４ｂ、４ａ、４ｃ）、背中及び腰部は、脊柱起立筋、鍼灸治療における肝兪、脾兪、腎兪、大腸兪、小腸兪、胞肓のツボに配置した（４ｄ、４ｅ、４ｆ、４ｇ、４ｈ、４ｉ、４ｊ）。
【００３１】
〔実施例２〕
図２は、本発明の一実施形態に係るブラトップタイプの下着２である。
本実施例のブラトップタイプの下着２は、伸縮性を有するパワー生地で作製された補正下着であり、図２は、本実施例２のブラトップタイプの下着２の正面及び背面から見た図である。
図２において、ブラトップタイプの下着２のドット模様で示した部分は、伸縮性を有するパワー生地に樹脂加工を施した部分である。また、磁石４は下着２の裏側に添え布を当てて接着剤で固定したが、図２には位置を明確にするために実線で丸印を記した。
下着２に装着した磁石４は、ネオジム磁石の磁力が１２０ミリステラ、直径が５ｍｍ、厚みが０．８ｍｍのものを用いた。
ブラトップタイプの下着２に配した磁石４は、肩部の鎖骨リンパ節周辺部、鍼灸治療における肩井、肩外兪のツボに配置し（４ｂ、４ａ、４ｃ）、背中及び腰部においては、脊柱起立筋、鍼灸治療における肝兪、脾兪、腎兪、大腸兪のツボに配置した（４ｄ、４ｅ、４ｆ、４ｇ、４ｈ）。
【００３２】
〔実施例３〕
図３は、本発明の一実施形態に係るブラトップとショーツのセットタイプの下着３である。
本実施例のブラトップとショーツのセットタイプの下着３は、いずれも伸縮性を有するパワー生地で作製された補正下着であり、図３は、本実施例３のセットタイプの下着３のブラトップ３ａ、ショートガードル３ｂの正面及び背面から見た図である。
図３において、セットタイプの下着３のドット模様で示した部分は、伸縮性を有するパワー生地に樹脂加工を施した部分である。また、磁石４は下着３の裏側に添え布を当てて接着剤で固定したが、図３には位置を明確にするために実線で丸印を記した。
下着３に装着した磁石４は、ネオジム磁石の磁力が１２０ミリステラ、直径が５ｍｍ、厚みが０．８ｍｍのものを用いた。
セットタイプの下着３に配した磁石４は、ブラトップにおいては、肩部は、鎖骨リンパ節周辺部、鍼灸治療における肩井、肩外兪のツボに配置し（４ｂ、４ａ、４ｃ）、背中部は、脊柱起立筋、鍼灸治療における肝兪、脾兪、腎兪のツボに配置し（４ｄ、４ｅ、４ｆ、４ｇ）、ショートガードルにおいては、鍼灸治療における大腸兪、小腸兪、胞肓のツボに配置した（４ｈ、４ｉ、４ｊ）。
【００３３】
本発明の下着によれば、肩から背中、腰にかけての筋肉、リンパ節周辺部、鍼灸治療におけるツボに効果的に磁石による刺激が与えられるので、筋肉のこりをほぐすだけでなく、体全体全体の疲れやこりをほぐすことができ、体全体の血流、リンパ、体液の循環を促進させることができるので、着用しているだけで、疲れにくい健康な体を作ることができる。
【符号の説明】
【００３４】
１  ・・・ボディスーツタイプの下着
２  ・・・ブラトップタイプの下着
３  ・・・ブラトップとショーツのセットタイプの下着
３ａ・・・ブラトップ
３ｂ・・・ショートガードル
４  ・・・磁石
４ａ・・・磁石（肩井）
４ｂ・・・磁石（鎖骨リンパ節周辺部）
４ｃ・・・磁石（肩外兪）
４ｄ・・・磁石（脊柱起立筋）
４ｅ・・・磁石（肝兪）
４ｆ・・・磁石（脾兪）
４ｇ・・・磁石（腎兪）
４ｈ・・・磁石（大腸兪）
４ｉ・・・磁石（小腸兪）
４ｊ・・・磁石（胞肓）
【図１】
2017145519.tif 000003
【図２】
2017145519.tif 000004
【図３】
2017145519.tif 000005
【手続補正書】
【提出日】平成28年5月13日(2016.5.13)
【手続補正１】
【補正対象書類名】明細書
【補正対象項目名】００３０
【補正方法】変更
【補正の内容】
【００３０】
以下、本発明の好ましい実施形態を実施例により詳細に説明する。
〔実施例１〕
図１は、本発明の一実施形態に係るボディスーツタイプの下着１である。
本実施例のボディスーツタイプの下着１は、伸縮性を有するパワー生地で作製された補正下着であり、図１の（Ａ）は、本実施例１のボディスーツタイプの下着１の正面から見た図であり、図１の（Ｂ）は、本実施例１のボディスーツタイプの下着１の背面から見た図である。
図１において、ボディスーツタイプの下着１のドット模様で示した部分は、伸縮性を有するパワー生地に樹脂加工を施した部分である。また、磁石４は下着１の裏側に添え布を当てて接着剤で固定したが、図１には位置を明確にするために実線で丸印を記した。
下着１に装着した磁石４は、ネオジム磁石の磁力が１２０ミリステラ、直径が５ｍｍ、厚みが０．８ｍｍのものを用いた。
ボディスーツタイプの下着１に配した磁石４は、略Ｘ字状に配置され、肩部は、鎖骨リンパ節周辺部、鍼灸治療における肩井、肩外兪のツボに配置し（４ｂ、４ａ、４ｃ）、背中及び腰部は、脊柱起立筋、鍼灸治療における肝兪、脾兪、腎兪、大腸兪、小腸兪、胞肓のツボに配置した（４ｄ、４ｅ、４ｆ、４ｇ、４ｈ、４ｉ、４ｊ）。
【手続補正２】
【補正対象書類名】明細書
【補正対象項目名】００３１
【補正方法】変更
【補正の内容】
【００３１】
〔実施例２〕
図２は、本発明の一実施形態に係るブラトップタイプの下着２である。
本実施例のブラトップタイプの下着２は、伸縮性を有するパワー生地で作製された補正下着であり、図２の（Ａ）は、本実施例２のブラトップタイプの下着２の正面から見た図であり、図２の（Ｂ）は、本実施例２のブラトップタイプの下着２の背面から見た図である。
図２において、ブラトップタイプの下着２のドット模様で示した部分は、伸縮性を有するパワー生地に樹脂加工を施した部分である。また、磁石４は下着２の裏側に添え布を当てて接着剤で固定したが、図２には位置を明確にするために実線で丸印を記した。
下着２に装着した磁石４は、ネオジム磁石の磁力が１２０ミリステラ、直径が５ｍｍ、厚みが０．８ｍｍのものを用いた。
ブラトップタイプの下着２に配した磁石４は、肩部の鎖骨リンパ節周辺部、鍼灸治療における肩井、肩外兪のツボに配置し（４ｂ、４ａ、４ｃ）、背中及び腰部においては、脊柱起立筋、鍼灸治療における肝兪、脾兪、腎兪、大腸兪のツボに配置した（４ｄ、４ｅ、４ｆ、４ｇ、４ｈ）。
【手続補正３】
【補正対象書類名】明細書
【補正対象項目名】００３２
【補正方法】変更
【補正の内容】
【００３２】
〔実施例３〕
図３は、本発明の一実施形態に係るブラトップとショーツのセットタイプの下着３である。
本実施例のブラトップとショーツのセットタイプの下着３は、いずれも伸縮性を有するパワー生地で作製された補正下着であり、図３の（Ａ）は、本実施例３のセットタイプの下着３のブラトップ３ａ、ショートガードル３ｂの正面から見た図であり、図３の（Ｂ）は、本実施例３のセットタイプの下着３のブラトップ３ａ、ショートガードル３ｂの背面から見た図である。
図３において、セットタイプの下着３のドット模様で示した部分は、伸縮性を有するパワー生地に樹脂加工を施した部分である。また、磁石４は下着３の裏側に添え布を当てて接着剤で固定したが、図３には位置を明確にするために実線で丸印を記した。
下着３に装着した磁石４は、ネオジム磁石の磁力が１２０ミリステラ、直径が５ｍｍ、厚みが０．８ｍｍのものを用いた。
セットタイプの下着３に配した磁石４は、ブラトップにおいては、肩部は、鎖骨リンパ節周辺部、鍼灸治療における肩井、肩外兪のツボに配置し（４ｂ、４ａ、４ｃ）、背中部は、脊柱起立筋、鍼灸治療における肝兪、脾兪、腎兪のツボに配置し（４ｄ、４ｅ、４ｆ、４ｇ）、ショートガードルにおいては、鍼灸治療における大腸兪、小腸兪、胞肓のツボに配置した（４ｈ、４ｉ、４ｊ）
【手続補正４】
【補正対象書類名】図面
【補正対象項目名】全図
【補正方法】変更
【補正の内容】
【図１】
2017145519.tif 000006
【図２】
2017145519.tif 000007
【図３】
2017145519.tif 000008
【手続補正書】
【提出日】平成29年1月20日(2017.1.20)
【手続補正１】
【補正対象書類名】特許請求の範囲
【補正対象項目名】請求項１
【補正方法】変更
【補正の内容】
【請求項１】
生地の緊締力が強い伸縮性の高いパワー生地を用い、緊締力が異なる複数の前記パワー生地を組み合わせ、
前記パワー生地の裏側に当て布を介して磁石が取り付けられ、
前記磁石は、肩部、背中部、腰部のいずれかに位置する、筋肉、リンパ節周辺部、鍼灸治療におけるツボに当接するように配せられ、
前記肩部、背中部、腰部のいずれかに位置する、筋肉、リンパ節周辺部、鍼灸治療におけるツボに、磁力線による刺激が与えられるようにした体型補正のための補正下着であり、
前記筋肉に当接する磁石は、複数の小径薄型の磁石が筋肉部位に直線状に配置され、
前記リンパ節周辺部に当接する磁石は、前記リンパ節周辺部を覆うように複数の小径薄型の磁石が分散して配置され、
前記鍼灸治療におけるツボに当接する磁石は、前記鍼灸治療におけるツボに対応する位置に１個の小径薄型の磁石が配置されていることを特徴とする下着。
【手続補正書】
【提出日】平成29年6月1日(2017.6.1)
【手続補正１】
【補正対象書類名】特許請求の範囲
【補正対象項目名】請求項１
【補正方法】変更
【補正の内容】
【請求項１】
生地の緊締力が強い伸縮性の高いパワー生地を用い、緊締力が異なる複数の前記パワー生地を組み合わせ、
前記パワー生地の裏側に当て布を介して磁石が肌に接するように取り付けられ、
前記磁石は、肩部、背中部、腰部のいずれかに位置する、筋肉、リンパ節周辺部、鍼灸治療におけるツボに当接するように配せられ、
前記肩部、背中部、腰部のいずれかに位置する、筋肉、リンパ節周辺部、鍼灸治療におけるツボに、磁力線による刺激が与えられるようにした体型補正のための補正下着であり、
前記筋肉に当接する磁石は、複数の小径薄型の磁石が筋肉部位に直線状に配置され、
前記リンパ節周辺部に当接する磁石は、前記リンパ節周辺部を覆うように複数の小径薄型の磁石が分散して配置され、
前記鍼灸治療におけるツボに当接する磁石は、前記鍼灸治療におけるツボに対応する位置に１個の小径薄型の磁石が配置されていることを特徴とする下着。